(57)【特許請求の範囲】
【請求項１】
加圧流体用の容器であって、
ネック部と、
その上に搭載され、容器の外へ流体を引き出すための吸引チューブを伴うフィッティングとを備え、
圧力リリーフ弁が、吸引チューブの上端または容器のネック部に搭載され、
この圧力リリーフ弁は、スプリング手段を介して弾性的に搭載され、圧縮されたスプリングによって閉止位置から開放位置へ移動可能である閉止本体を備え、
この閉止本体は、開口において封止するように受け止められるクランプ部を備え、
開口およびクランプ部は、クランプ部が開口内側から外側へ押圧できるような形状を有し、
クランプ部は、閉止位置と開放位置との間で回転可能に搭載され、その結果、クランプ部が、回転の際、開口から外向きに移動する、
ことを特徴とする容器。
【請求項２】
閉止本体は、所定の臨界圧力を超えた圧力の結果として、閉止位置から開放位置へ移動するように搭載されることを特徴とする請求項１記載の容器。
【請求項３】
吸引チューブの上端は、孔を持つキャップが設けられ、
この孔は、閉止本体の閉止位置において閉止本体によって封止されることを特徴とする請求項１または２記載の容器。
【請求項４】
閉止本体は、クランプ部と、スプリング手段のためのスプリング支持部とを備え、
クランプ部は、スプリング支持部と連結され、
スプリング手段は、スプリング支持部と吸引チューブまたは樽のネック部との間で作動し、その結果、容器内の圧力が臨界値を超えた場合、スプリング支持部は、クランプ部をスプリング手段の動きとは反対に外向きに押し出すことを特徴とする請求項１〜３のいずれかに記載の容器。
【請求項５】
スプリング手段は、スプリング支持部と吸引チューブのキャップとの間で作動することを特徴とする請求項４記載の容器。
【請求項６】
閉止本体は、クランプ部が設けられた第１端および、スプリング支持部が設けられた第２端を有する中央部を備え、
スプリング手段は、中央部の周囲に配置されたスプリングであることを特徴とする請求項４または５記載の容器。
【請求項７】
クランプ部は、中央部に一体的に形成されることを特徴とする請求項６記載の容器。
【請求項８】
スプリング支持部は、中央部の周囲に環状に延びており、直立周囲壁が設けられ、その結果、スプリングの外端が中央部と直立周囲壁との間に受け止め可能であることを特徴とする請求項４〜７のいずれかに記載の容器。
【請求項９】
クランプ部は、閉止位置から開放位置への移動方向に、発散形状を有することを特徴とする請求項１〜８のいずれかに記載の容器。
【請求項１０】
クランプ部は、実質的に円錐台またはピラミッドの形状を有し、丸みを帯びたリブを備えることを特徴とする請求項１〜９のいずれかに記載の容器。
【請求項１１】
クランプ部および開口は、非回転対称であり、その結果、クランプ部の回転がクランプ部の外向き運動を生じさせることを特徴とする請求項１〜１０のいずれかに記載の容器。
【請求項１２】
クランプ部は、開口を垂直に見て、互いに異なる幅寸法および長さ寸法を有することを特徴とする請求項１〜１１のいずれかに記載の容器。
【請求項１３】
クランプ部は、ツールのヘッドとの連結を意図した凹部または突出部が設けられることを特徴とする請求項１〜１２のいずれかに記載の容器。
【請求項１４】
吸引チューブは、樽からの流体の通路のための少なくとも１つの開口が設けられ、
圧力リリーフ弁は、該少なくとも１つの開口の上方に配置されることを特徴とする請求項１〜１３のいずれかに記載の容器。
【請求項１５】
閉止本体は、クランプ部と、スプリング支持部とを備え、
スプリング支持部は、基部と、基部から上向きに延びる連結軸とを備えた一体部品であり、
この連結軸は、クランプ部に搭載されることを特徴とする請求項１〜１４のいずれかに記載の容器。
【請求項１６】
クランプ部は、連結軸の外端が押し込み可能な凹部が設けられ、
凹部および外端の形状は、連結軸がクランプ部に固定されるような形状であることを特徴とする請求項１５記載の容器。
【請求項１７】
クランプ部と連結軸との連結は、蟻継ぎ連結であることを特徴とする請求項１６記載の容器。
【請求項１８】
閉止本体は、クランプ部と、スプリング支持部とを備え、
クランプ部は、スプリング支持部が製造されるプラスチック材料よりも圧縮性のあるプラスチック材料で製造されることを特徴とする請求項１〜１７のいずれかに記載の容器。
【請求項１９】
クランプ部は、良好な封止性質を持つ、ＥＰＤＭ（エチレンプロピレン・ジエンモノマー）材料またはＮＢＲ（ニトリルブタジエンゴム）材料から製造されることを特徴とする請求項１８記載の容器。
【請求項２０】
閉止本体は、クランプ部と、スプリング支持部とを備え、
クランプ部およびスプリング支持部は、同じ材料で製造され、
封止手段が、クランプ部の周囲に配置されることを特徴とする請求項１〜１７のいずれかに記載の容器。
【請求項２１】
スプリング支持部は、ＰＥＴで製造されることを特徴とする請求項１８〜２０のいずれかに記載の容器。
【請求項２２】
圧力リリーフ弁は、吸引チューブの上端またはネック部に、封止するように搭載されたハウジングを備えることを特徴とする請求項１〜２１のいずれかに記載の容器。
【請求項２３】
ハウジングは、底部に下側開口が設けられ、上部に上側開口が設けられ、
閉止本体は、下側開口を閉止するために、ハウジングに弾性的に搭載され、その結果、この弁部分は、容器内の圧力が所定の臨界値を超えた場合、ハウジング内に押し込み可能である請求項２２記載の容器。
【発明の詳細な説明】
【技術分野】
【０００１】
本発明は、圧力リリーフ弁、特に炭酸飲料、例えばビールなどの加圧流体のための容器または樽(keg)において使用される圧力リリーフ弁に関する。
【背景技術】
【０００２】
既存の圧力リリーフ弁は、通常、あまりコンパクトでなく、再利用が困難な幾つかの部品を含むという欠点を有する。
【発明の概要】
【発明が解決しようとする課題】
【０００３】
本発明は、コンパクトで信頼性のある圧力リリーフ弁を備えた容器を提供することを目的とする。
【課題を解決するための手段】
【０００４】
この目的のため、本発明は、加圧流体、好ましくは炭酸飲料のための容器を提供する。該容器は、容器の中に流体を引き込むための吸引チューブを伴うフィッティング(fitting)を備え、圧力リリーフ弁が、吸引チューブの上端または容器のネック部に搭載される。圧力リリーフ弁は、弾性的に搭載され、圧縮されたスプリングによって閉止位置から開放位置へ移動可能である閉止本体(closing body)を備える。
【０００５】
吸引チューブに搭載された実施形態は、圧力リリーフ弁が、フィッティングにおいて好都合な方法で搭載可能であり、容器自体を変更する必要がないという利点を有する。ネック部に搭載された実施形態は、極めてコンパクトな実施形態となり、圧力リリーフ弁は、例えば、容器に設けられたフィッティング本体に内蔵または組み込みが可能である。
【０００６】
閉止本体は、好ましくは、スプリング手段を介して弾性的に搭載され、所定の臨界圧力を超えた圧力の結果として、スプリング手段は圧縮され、閉止本体を閉止位置から開放位置へ移動する。吸引チューブに搭載した場合、圧力リリーフ弁は、好ましくは垂直に搭載され、即ち、閉止本体は、閉止位置と開放位置との間で垂直に移動可能である。
【０００７】
吸引チューブの実施形態の場合、吸引チューブの上端は、好ましくは、孔を持つキャップが設けられ、この孔は、閉止本体の閉止位置において閉止本体によって封止される。キャップは、吸引チューブと一体的に形成できるが、吸引チューブに装着または連結できる構成部品の一部を形成することも可能であることに留意する。キャップは、例えば、吸引チューブに弾性的に配置されたハウジングの一部を形成することも可能である。孔および閉止本体は、好ましくは、閉止本体がキャップから外向きに押し出すような形状を有する。圧力リリーフ弁が開いた場合、流体は、この孔を通って外部に流出できる。代替品によれば、吸引チューブの上端は開放しており、閉止本体は、この開放端において封止するように閉止位置に受け止められる。
【０００８】
閉止本体は、好ましくは、クランプ部と、スプリング手段のためのスプリング支持部とを備え、クランプ部は、スプリング支持部と連結され、スプリング手段は、スプリング支持部と吸引チューブまたは容器のネック部との間で作動し、その結果、容器内の圧力が臨界値を超えた場合、スプリング支持部は、この圧力に起因してスプリング手段を圧縮し、クランプ部を外向きに押し出す。キャップを吸引チューブの上端に設けた場合、スプリング手段は、好ましくは、スプリング支持部と吸引チューブのキャップとの間で作動する。
【０００９】
閉止本体は、好ましくは、クランプ部が設けられた第１端および、スプリング支持部が設けられた第２端を有する中央部を備え、スプリング手段は、中央部の周囲に配置されたスプリングである。中央部は、好ましくは、実質的に円柱状である。クランプ部は、好ましくは、中央部に一体的に形成されるが、クランプ接続部を介して中央部と接続することも可能である。スプリング支持部は、好ましくは、中央部の周囲に環状に延びており、好ましくは直立周囲壁が設けられ、その結果、スプリングの外端が中央部と直立周囲壁との間に受け止め可能である。
【００１０】
有利な実施形態によれば、閉止本体は、開口において封止するように受け止められるクランプ部を備え、開口およびクランプ部は、クランプ部が樽の内部から外部へ移動する方向に開口から外へ押圧できるような形状を有する。開口は、例えば、吸引チューブの上端または容器のネック部に設けられる。押し出し方向に見ると、クランプ部は、好ましくは発散形状を有し、そのためクランプ部は、内向きではなく外向きに移動可能である。クランプ部は、例えば、実質的に円錐台またはピラミッドの形状を取ることができる。
【００１１】
クランプ部は、好ましくは、閉止位置と開放位置との間で回転可能に搭載され、その結果、クランプ部が回転によって開口から外向きに移動する。ここで、クランプ部および開口は、好ましくは、非回転対称であり、その結果、クランプ部の回転がクランプ部の外向き運動を生じさせる。
【００１２】
クランプ部に、例えば、ねじ回しの頭部と連結するための凹部または他の連結オプションを設けた場合、連結部は手動で回転でき、圧力を樽から放出できる。容器内の圧力が高すぎる結果としての弁の自動開放に加えて、このようにして弁は手動でも開放できる。これは、樽が空である場合に特に有用であり、使用者は、安全のために、必要とされる場所および時期において圧力を逃がすことができる。
【００１３】
開口を垂直に見ると、クランプ部は、例えば、互いに異なる幅寸法および長さ寸法を有し、一方、クランプ部は、押し出し方向に見ると、発散形状を有する。こうしてクランプ部を９０度回転させることによって、クランプ部は開放位置に置くことができる。
【００１４】
可能性のある実施形態によれば、吸引チューブには、樽からの流体の通路のための１つ又はそれ以上の開口が設けられ、圧力リリーフ弁は、１つ又はそれ以上の開口のほぼ上方に配置される。
【００１５】
有利な実施形態によれば、圧力リリーフ弁は、クランプ部と、スプリング支持部と、スプリング手段とを備える。クランプ部は、スプリング支持部と連結され、スプリング手段は、スプリング支持部と吸引チューブまたはネック部との間で作動し、そのため容器内の圧力が臨界値（例えば、５〜７バール(bar)）を超えた場合、スプリング支持部は、クランプ部をスプリング手段の動きとは反対に外向きに押し出す。スプリング支持部は、好ましくは、一体部品であり、例えば、射出成形によって製造されており、基部と、基部から上向きに延びる連結軸とを備え、この連結軸はクランプ部に搭載される。
【００１６】
この目的のため、クランプ部は、例えば、連結軸の外端が押し込み可能な凹部を設けてもよく、凹部および外端の形状は、連結軸がクランプ部に固定されるような形状である。クランプ部と連結軸との連結は、例えば、蟻継ぎ(dovetail)連結でもよい。
【００１７】
有利な実施形態によれば、クランプ部は、スプリング支持部が製造されるプラスチック材料よりも圧縮性のあるプラスチック材料で製造される。クランプ部は、好ましくは、良好な封止性質を持つ、例えば、ＥＰＤＭ（エチレンプロピレン・ジエンモノマー）材料またはＮＢＲ（ニトリルブタジエンゴム）材料から製造できる。スプリング支持部は、例えば、より硬いプラスチック材料、例えばＰＥＴなどで製造される。
【００１８】
代替の実施形態によれば、クランプ部およびスプリング支持部は、同じ材料から製造される。この場合、別個のシールがクランプ部の周囲に配置でき、例えば、別個のＯリングまたは外側被覆（オーバーモールド）された弾性ゴムなどであり、これが封止を保証している。クランプ部およびスプリング支持部は、例えば、ＰＥＴ材料から製造できる。
【００１９】
さらに他の可能性のある実施形態によれば、圧力リリーフ弁は、吸引チューブの上端またはネック部に、封止するように搭載されたハウジングを備える。ハウジングには、底部に下側開口が設けられ、上部に上側開口が設けられる。閉止部が、例えば、下側開口を閉止するために、スプリング手段を介してハウジングに弾性的に搭載される。この搭載は、この閉止部が、下側開口からハウジング内に押し込み可能であり、容器内の圧力が所定の臨界値を超えた場合、スプリング手段が圧縮されるようにしている。こうした臨界圧力は、例えば、５〜７バールである。
【００２０】
本発明は、添付図面を参照し、本発明に係るアセンブリの多数の非限定的な例示の実施形態に基づいて、さらに明らかになるであろう。
【図面の簡単な説明】
【００２１】
【図１Ａ】本発明に係るＳタイプのフィッティングの一実施形態の概略断面図である。
【図１Ｂ】図１Ａの実施形態の分解斜視図である。
【図２Ａ】本発明に係るＡタイプのフィッティングの一実施形態の概略断面図である。
【図２Ｂ】上方から見て、図２Ａの実施形態のフィッティング本体の概略斜視図である。
【図２Ｃ】図２Ａの実施形態の吸引チューブ搭載部品の概略斜視図である。
【図２Ｄ】図２Ａの実施形態の吸引チューブの部品の概略斜視図である。
【図３】吸引チューブに搭載された、本発明に係る圧力リリーフ弁の一実施形態の断面図である。
【図４】吸引チューブに搭載された、本発明に係る圧力リリーフ弁の一実施形態の断面図である。
【図５Ａ】吸引チューブに搭載された、本発明に係る圧力リリーフ弁の一実施形態の断面図である。
【図５Ｂ】吸引チューブに搭載された、本発明に係る圧力リリーフ弁の一実施形態の斜視図である。
【図６Ａ】圧力リリーフ弁の上斜視図を示す。
【図６Ｂ】圧力リリーフ弁の底斜視図を示す。
【図６Ｃ】閉止本体なしでの圧力リリーフ弁の上斜視図を示す。
【図６Ｄ】図６Ａの実施形態の閉止本体の部品の斜視図を示す。
【図６Ｅ】図６Ａの実施形態のスプリング支持部の斜視図を示す。
【図７】図６Ａの実施形態の断面図を示す。
【図８Ａ】閉止本体の３つの連続的な位置にある図６Ａの実施形態を示す。
【図８Ｂ】閉止本体の３つの連続的な位置にある図６Ａの実施形態を示す。
【図８Ｃ】閉止本体の３つの連続的な位置にある図６Ａの実施形態を示す。
【図９Ａ】圧力リリーフ弁がネック部に設けられた第１の代替実施形態を示す。
【図９Ｂ】圧力リリーフ弁がネック部に設けられた第１の代替実施形態を示す。
【図９Ｃ】圧力リリーフ弁がネック部に設けられた第１の代替実施形態を示す。
【図１０Ａ】圧力リリーフ弁がネック部に設けられた第２の代替実施形態を示す。
【図１０Ｂ】圧力リリーフ弁がネック部に設けられた第２の代替実施形態を示す。
【発明を実施するための形態】
【００２２】
図１Ａは、Ｓタイプのフィッティングの一実施形態を示す。図２Ａは、プラスチック樽１００に搭載されたＡタイプのフィッティングの一実施形態を示し、ネック部１０１を備えた上側部分だけを図２Ａに示している。図１Ａは、フィッティングだけを示し、容器を示していない。
【００２３】
ネック部１０１には、２つの肉厚ネック部が設けられ、ここでは、樽１００のネック部１０１と一体的に形成されたネックリング１０２，１０３の形状であり、ネック部の周縁に沿って延びている。樽１００は、典型的には、ブロー成形、特に延伸ブロー成形によって、好ましくは下記材料：ＰＥＴ材料、特にボトルグレードＰＥＴ、ＰＰ材料、ＰＥ材料、ＰＥＮ材料、のうちの１つから製造される。この後者は、典型的には再使用可能な樽として用いられる。再使用可能な樽に関して、本発明がいわゆる使い捨て樽にも等しく適用されることを当業者は理解するであろう。樽１００は、典型的には、０．２５バール〜１０．００バール、好ましくは０．５０バール〜３．５０バールの圧力下で液体を保管するように構成される。
【００２４】
ＳタイプまたはＡタイプのフィッティングは、フィッティング本体４；１０４（図１Ｂと図２Ｂを参照）をそれぞれ備える。フィッティング本体４；１０４は、ネック部１０１周りのリングを形成する２つ又はそれ以上のリング部分１０６ａ，１０６ｂが装着可能である。フィッティング本体４；１０４は、その周縁に、輪郭付与部(profiling)２４（多かれ少なかれ突出したリブ）；１２４（平坦な表面）（図１Ｂと図２Ｂを参照）が設けられ、そして、２つのリング部分１０６ａ，１０６ｂには、非回転位置決めのための相補的輪郭付与部が設けられる。
【００２５】
フィッティング本体４；１０４には、さらに支持フランジ５；１０５が設けられ、例えば、液体を樽から排出しながら、ガスを供給できる異なるフィッティング部品を受け入れることを意図している。
【００２６】
下記のフィッティング部品が、図１Ａおよび図２Ａまたは図２Ｂにおいて認識できる。キャップ３１；１３１と、フィッティング本体４；１０４とネック部１０１との間の封止のための封止リング３２；１３２と、流体を樽１００の中に引き込むための吸引チューブ３３，３４；１３３，１３４と、吸引チューブ搭載部品３５；１３５と、弁部品３７，３９；１３７，１３９と、弁部品３７，３９；１３７，１３９に対してスプリング動作を作用させるためのスプリング手段３６，３６’；１３６と、圧力リリーフ弁３８，１３８。
【００２７】
これらは２つの実施形態だけであり、フィッティングが他の方法で構築できることを当業者は理解するであろう。本発明の実施形態が、樽用の種々のタイプのフィッティングに適用できる。
【００２８】
図２Ａと図２Ｂに示した実施形態は、ＡタイプまたはＧタイプの樽カップリングとの共同動作を意図している。図１Ａと図１Ｂに示した実施形態は、Ｓタイプの樽カップリングとの共同動作を意図している。樽カップリングは、フィッティングの上面に搭載され、流体、典型的にはビールが樽から流出しながら、ガスが流入して樽を加圧状態に維持できるようにする部品である。Ａ−樽カップリング、Ｇ−樽カップリングおよびＳ−樽カップリングに加えて、Ｄタイプ、ＵタイプおよびＭタイプの樽カップリングも存在する。フィッティングは、これらのタイプで少し異なるように具体化されることになるが、本発明がこうしたフィッティングに等しく適用できることは当業者は理解するであろう。
【００２９】
図２Ｃは、Ａタイプのフィッティングの実施形態についての吸引チューブ搭載部品１３５を詳細に示す。この部品は、図２Ｄに示した吸引チューブ部品１３３を固定できる中央開口５００が設けられる。吸引チューブ搭載部品１３５は、さらにその周縁に、フィッティング本体１０４の舌部１２７のための受け入れ部５０２が設けられる（図２Ｂ参照）。下方に向いた舌部１２７は、フィッティング本体１０４の下面に設けられ、受け入れ部５０２に設けられた突起部５０１と個々に係合可能な孔１２８がそれぞれ設けられる。
【００３０】
吸引チューブ搭載部品１３５は、こうしてフィッティング本体１０４の下面においてロック可能である。吸引チューブ部品１３３は、樽からの流体の通過のための開口５０４が設けられる。図１Ａと図１Ｂの変形例では、吸引チューブ部品３３および搭載部品３５は、単一部品から製造され、その中に、弾性的に搭載された上側部品３９が配置される。この上側部品３９には、樽からの流体の通過のための開口５４が設けられる。搭載部品３５のフィッティング本体４への取り付けは、図２Ａと図２Ｂの変形例と同様であるため、詳細に説明しない。
【００３１】
図１Ａまたは図２Ａを参照して、図示した実施形態において、吸引チューブの上部に設けられた圧力リリーフ弁３８，１３８が、１つ又はそれ以上の他の場所にも設置できることに留意する。例えば、多数の圧力リリーフ弁をフィッティング本体１０４の壁に対して、例えば、その下端に設置してもよく、適切な接続を樽１００のネック部１０１の中に配置する必要がある。こうした実施形態は、図９Ａ〜図９Ｃおよび図１０Ａ〜図１０Ｂに示している。
【００３２】
図９Ａ〜図９Ｃは、ハウジング７０３と、その中に弾性的に受け入れられた閉止本体７０１とを備えた圧力リリーフ弁７００を示す。閉止本体７０１は、閉止本体６０１と同様であり、図６Ａ〜図６Ｅと図７を参照して詳細に説明している。ハウジング７０３は、出口パイプ７３１に通ずる垂直なチューブ部７３０を有し、樽の壁、例えば、図９Ｂに示すように、樽のネック部に搭載可能である。シール、例えば円錐シール７３２が、ネック壁と出口パイプ７３１との間に設けてもよい。
【００３３】
図９Ｂと図９Ｃを参照して、１つ又はそれ以上の圧力リリーフ弁７００が、フィッティング本体１０４を設置する前に、樽の中に配置でき、出口パイプ７３１は、例えば、円錐シール７３２を介してネック壁に搭載される。そして、フィッティング本体１０４が設置できる。フィッティング本体１０４には、垂直な下向きに突出したリブ１２９が好都合に設けられ、チューブ部７３０は、垂直リブ１２９の間に受け入れ可能である。こうしてこれらのリブ１２９は、圧力リリーフ弁７００の追加の保持および位置決めを提供する。
【００３４】
図１０Ａ〜図１０Ｂは、樽のネック部を介して連結された圧力リリーフ弁８００の追加の第２変形例を示す。圧力リリーフ弁は、出口パイプ８３１を備えたハウジング８０３の中に、ここでは水平に搭載され、樽の壁、例えば、樽のネック部に搭載可能である。シール、例えば円錐シール８３２が、ネック壁と出口パイプ８３１との間に設けてもよい。
【００３５】
図３と図４は、加圧流体のための容器、典型的にはビール樽の吸引チューブに搭載されるのを意図した、本発明に係る圧力リリーフ弁２００，３００の２つの個々の実施形態を示す。容器およびフィッティングは、例えば、上述したように具体化できるが、異なる形状をとることもできる。圧力リリーフ弁２００，３００は、流体を容器内に引き込むための吸引チューブ１３３の上端に搭載される。吸引チューブ１３３は、樽からの流体の通過のための開口５０４が設けられ、圧力リリーフ弁２００，３００は、開口５０４の上方に配置される。吸引チューブの上端は、圧力リリーフ弁２００が開いた場合、流体が漏出可能な孔５０６を備えた閉止キャップ５０５によって閉止される。
【００３６】
図３と図４の変形例において、圧力リリーフ弁２００，３００は、閉止本体２０１，３０１と、スプリング２０２，３０２とを備える。閉止本体２０１，３０１は、閉止キャップの孔５０６の中に封止するように受け止められるクランプ部２１０，３１０を備える。孔５０６およびクランプ部２１０，３１０は、クランプ部が吸引チューブの内側から閉止キャップ５０５の外へ押圧できるような形状を有する。クランプ部２１０，３１０は、例えば、円錐台またはピラミッドの形状にできる。
【００３７】
閉止本体２０１，３０１はさらに、スプリング２０２，３０２のためのスプリング支持部２１２，３１２を備える。クランプ部２１０，３１０は、スプリング支持部２１２，３１２と連結され、スプリング２０２，３０２は、スプリング支持部２１２，３１２と閉止キャップ５０５との間で作動し、そのため容器内の圧力が臨界値を超えた場合、スプリング支持部は、クランプ部２１０，３１０をスプリングの動きとは反対に外向きに押し出す。この変形例では、スプリング支持部２１２，３１２は、一体的に製造された部品であり、基部と、基部から上向きに延びてクランプ部に取り付けられた連結軸２１１，３１１とを備える。図示した変形例において、クランプ部２１０，３１０は、連結軸２１１，３１１の外端２１４，３１４が押し込み可能な凹部が設けられる。凹部および外端の形状は、連結軸がクランプ部に固定されるような形状である。図示した実施形態において、クランプ部と連結軸との連結は、例えば、蟻継ぎ(dovetail)連結であるが、当業者は他の連結も可能であることは理解するであろう。
【００３８】
図３の変形例において、クランプ部は、スプリング支持部が製造されるプラスチック材料よりも圧縮性のあるプラスチック材料で製造され、クランプ部自体の材料は、封止を提供する。そして、クランプ部は、例えば、ＥＰＤＭ（エチレンプロピレン・ジエンモノマー）材料またはＮＢＲ（ニトリルブタジエンゴム）材料から製造される。図４の変形例において、クランプ部およびスプリング支持部は、同じ材料から製造され、封止リング３０４がクランプ部の周囲に配置される。この場合、スプリング支持部３１２およびクランプ部３１０の両方が、例えば、ＰＥＴ材料から製造できる。
【００３９】
図５Ａと図５Ｂは、本発明に係る圧力リリーフ弁４００の他の実施形態を示す。本実施形態において、圧力リリーフ弁は、吸引チューブの上端に封止リング４０４を介して搭載されたハウジング４０３に収納された、閉止本体４０１と、スプリング４０２とを備える。ハウジング４０３は、下部に下側開口４３０が設けられ、上部に上側開口４３１が設けられる。閉止本体４０１は、スプリング４０２を用いてハウジング内に弾性的に搭載される。閉止本体４０１は、下側開口４３０に接近するように構成された基部４１０と、基部４１０から上向きに延びており、その周りにスプリング４０２が設けられた軸部４１１とを有する。スプリング４０２は、基部４１０とハウジング４０３の上側壁４３２との間で作動し、これを通過するように軸部４１１が案内される。こうして容器内の圧力が所定の臨界値を超えた場合、スプリング４０２のスプリングの動きとは反対に、基部４１０をハウジング４０３の中に押し込むことが可能になり、これにより流体が容器から下側開口４３０を通って上側開口４３１および孔５０６を経由して漏出することができる。
【００４０】
図６Ａ〜図６Ｅ、図７および図８Ａ〜図８Ｃは、本発明に係る圧力リリーフ弁のさらに他の実施形態を示す。本実施形態において、圧力リリーフ弁は、ハウジング６０３内に搭載され、このハウジングは、吸引チューブの上端に設置することを意図している。図１Ａも参照（ハウジングは図１Ａにおいて符号３９で示す）。圧力リリーフ弁は、図７に最も明瞭に示されるように、ハウジング６０３内に弾性的に搭載された閉止本体６０１を備える。閉止本体６０１は、クランプ部６１０と、これに連結する連結部６１１と、スプリング支持部６１２とを備える。連結部６１１は、その外端に肉厚部６１４が設けられ、スプリング支持部６１２が連結部６１１に固定的に締め付けできるようにしている。この目的のため、スプリング支持部６１２には中央通路６１５が設けられる。
【００４１】
スプリング支持部６１２は、図６Ｅに最も明瞭に示されており、多数の連結アーム６１８を用いて中央通路６１５と連結されたリング６１６を備える。スプリング６０２の第１端が、内側リング６１５と外側リング６１６との間でスプリング支持部６１２内に受け止められる。スプリング６０２の他の外端は、ハウジング６０３の上側壁６３０に対して支持している。この上側壁６３０にはさらに、閉止位置において、クランプ部６１０によって閉止される開口６０６が設けられる。
【００４２】
良好な封止のため、クランプ部６１０には、Ｏリング６０４を設置できる。スプリング６０２は、スプリング支持部６１２とハウジング６０３との間で作動する。スプリング６０２の圧縮に起因して、樽内の高い圧力の結果として、閉止本体６０１は、こうして閉止位置（図６Ａ参照）から開放位置（図８Ａ参照）へ移動可能になる。ハウジング６０３が吸引チューブに搭載されるため、スプリング６０２は、スプリング支持部６１２と吸引チューブとの間で間接的に作動し、そのため容器内の圧力が臨界値を超えた場合、スプリング支持部６１２は、スプリング６０２を圧縮し、クランプ部６１０が外向けに押し出される。
【００４３】
図６Ｄに最も明瞭に示すように、クランプ部６１０は、樽の内側から外側へ見て、発散形状を有する。クランプ部６１０はさらに、長さ寸法とは異なる幅寸法を有し、クランプ部は、その上側に凹部６１６が設けられ、ここでは溝の形状であり、そこにツールのヘッドが受け入れ可能になる。こうしてクランプ部６１０の回転は、クランプ部の同時上向き運動を生じさせる。クランプ部６１０は、好ましくは、丸みを帯びた角部および丸みを帯びた発散周縁部を有し、そのためクランプ部６１０が閉止位置から開放位置へ円滑に回転可能になる。こうして圧力を手動で逃がすことも可能になり、図８Ｂと図８Ｃに最もよく示されるように、クランプ部６１０の２つの個々の位置を示している。
【００４４】
クランプ部６１０は、例えば、ねじ回しを用いて回転可能であり、これにより開口が生成され、これを通じて圧力が樽から漏出できる。溝付き凹部６１６の代わりに他の形状も可能であり、相補型形状を持つヘッドを有するツールが圧力リリーフ弁の手動開口のために提供されることに留意する。
【００４５】
本発明は、上述した例示の実施形態に限定されず、下記の請求項だけで定義される本発明の範囲から逸脱することなく、多くの変形例が想定できることは、当業者は理解するであろう。
【図１Ａ】
0006279548.tif 000002
【図１Ｂ】
0006279548.tif 000003
【図２Ａ】
0006279548.tif 000004
【図２Ｂ】
0006279548.tif 000005
【図２Ｃ】
0006279548.tif 000006
【図２Ｄ】
0006279548.tif 000007
【図３】
0006279548.tif 000008
【図４】
0006279548.tif 000009
【図５Ａ】
0006279548.tif 000010
【図５Ｂ】
0006279548.tif 000011
【図６Ａ】
0006279548.tif 000012
【図６Ｂ】
0006279548.tif 000013
【図６Ｃ】
0006279548.tif 000014
【図６Ｄ】
0006279548.tif 000015
【図６Ｅ】
0006279548.tif 000016
【図７】
0006279548.tif 000017
【図８Ａ】
0006279548.tif 000018
【図８Ｂ】
0006279548.tif 000019
【図８Ｃ】
0006279548.tif 000020
【図９Ａ】
0006279548.tif 000021
【図９Ｂ】
0006279548.tif 000022
【図９Ｃ】
0006279548.tif 000023
【図１０Ａ】
0006279548.tif 000024
【図１０Ｂ】
0006279548.tif 000025